(57)【要約】【課題】伝送状況に応じ、ＧＩ長を変更、切り替えた場合でも、ゴースト状態映像化信号波形に対応した位置関係でガード期間を示す表示範囲が変更され、正確に伝送状態を把握でき、高品質な伝送状態の把握を可能にすること。【解決手段】マルチキャリア変調方式を用いたデジタル伝送システムにおいて、受信側に、受信信号から反射波の混入状態を表すゴースト状態信号、ビットエラーレートを表すＢＥＲ状態信号及び電界強度を表す電界強度状態信号の内、少なくともゴースト状態信号を生成し、当該状態信号を映像化信号に変換生成する伝送状態映像変換手段と、当該映像化信号を所定の表示基準に基づいて画像表示する手段を有し、伝送状態映像変換手段は、ゴースト状態の映像化信号に対応するガード期間を表す映像化信号を所定の位置関係で統合し、受信信号から検出したＦＦＴポイント数に応じガード期間の表示範囲を変更する手段を有する。【選択図】      図１
2004289457.tif 000002
【特許請求の範囲】
【請求項１】
マルチキャリア変調方式を用いたデジタル伝送システムにおいて、受信側に、受信信号から反射波の混入状態を表すゴースト状態信号、復号ビット・エラー・レート（ＢＥＲ）状態を表すＢＥＲ状態信号及び電界強度を表す電界強度状態信号の内、少なくとも上記ゴースト状態信号を生成し、当該生成した状態信号を映像化信号に変換生成する伝送状態映像変換手段と、当該映像化信号を所定の表示基準に基づいて画像表示する手段を有し、上記伝送状態映像変換手段は、上記ゴースト状態の映像化信号に対応するガード期間を表す映像化信号を所定の位置関係で統合し、かつ上記受信信号から検出したＦＦＴポイント数に応じて上記ガード期間の表示範囲を変更する手段を有することを特徴とするデジタル伝送システム。
【請求項２】
請求項１において、上記生成したゴースト状態信号及び当該システムのフレーム周期を表す信号を、それぞれ上記検出したＦＦＴポイント数に対応した周期の信号に変換し、上記伝送状態映像変換手段に供給することを特徴とするデジタル伝送システム。
【発明の詳細な説明】
【０００１】
【発明の属する技術分野】
本発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）変調方式のデジタル伝送システムに関する。
【０００２】
【従来の技術】
近年、ヨーロッパやアメリカ及び日本でデジタル放送が検討されており、その変調方式としてＯＦＤＭの採用が有力視されている。  ＯＦＤＭとはマルチキャリア変調方式の一種で多数のデジタル変調波を加えあわせたものである。
【０００３】
従来技術によるＯＦＤＭ伝送装置における変復調部の基本的な構成としては、例えば、特許文献１に示すものが知られている。図１１は、ＯＦＤＭ伝送装置における変復調部の基本的な構成を示すブロック図であり、伝送路符号化部１Ｔ、符号化部２Ｔ、ＩＦＦＴ（Ｉｎｖｅｒｓｅ  Ｆａｓｔ  Ｆｏｕｒｉｅｒ  Ｔｒａｎｓｆｏｒｍ：逆フーリエ変換）部３Ａ、ガード付加部３Ｂ、パイロットキャリア（ＣＰ）挿入部５、クロック発振器６、直交変調処理部８とからなる送信側処理部１０１及び送信アンテナＡＴＸを有する送信側Ｔｘと、受信アンテナＡＲＸ及びＡＣＧ部９Ａ、直交復調処理部９Ｂ、同期検出＆相関部４Ａ、ＦＳＴ補正部４Ｂ、ＦＦＴ（Ｆａｓｔ  Ｆｏｕｒｉｅｒ  Ｔｒａｎｓｆｏｒｍ：高速フーリエ変換）部３Ｃ、復号化部２Ｒ、伝送路復号化部１Ｒ、電圧制御クロック発振器１０からなる受信側処理部２０３を有する受信側Ｒｘとにより構成され、これら送信側Ｔｘと受信側Ｒｘは、例えば、電波を用いた無線の伝送路Ｌにより結ばれている。
【０００４】
昨今、多様な伝送条件に対応するため、反射波混入時の緩衝帯となるガードインターバル（ＧＩ）の長さを切り替えるために、ＦＦＴポイント数を切り替える動きもある。  このため、ＦＦＴポイントモード（ＧＩモード）信号が、伝送路符号化部１Ｔ、ＩＦＦＴ部３Ａ、ガード付加部３Ｂに入力される。なお、ＩＦＦＴ処理の前段に、後述のＴＭＣＣデータ（伝送パラメータを示す制御信号）やＣＰキャリア成分を挿入する構成でも良い。
【０００５】
送信側処理部１０１の伝送路符号化部１Ｔに連続的に入力されるデータＤｉｎは、例えば２０４シンボルからなるフレーム毎に処理され、データＤｉｉとして出力される。  また、伝送路符号化部１Ｔは、フレーム周期である２０４シンボル毎に、送信側のフレーム制御パルスＦＳＴを発生し、同期シンボル期間の開始を表わすフレームパルス信号ＦＳＴとして、他のブロックに供給される。
【０００６】
符号化部２Ｔは、入力データを符号化しＩとＱの２軸にマッピングしたＲｆとＩｆを出力する。ＩＦＦＴ（Ｉｎｖｅｒｓｅ  Ｆａｓｔ  Ｆｏｕｒｉｅｒ  Ｔｒａｎｓｆｏｒｍ：逆フーリエ変換）部３Ａは、マッピングされた入力データＲｆとＩｆを周波数成分と見なし、ＦＦＴポイント数が１ｋ（キロ）ポイント時なら１０２４サンプルからなる時間軸信号ＲとＩに、２ｋモード時なら２０４８サンプルからなる時間軸信号に変換する。
【０００７】
ガード付加部３Ｂは、１ｋモード時なら、１０２４サンプルからなるＲとＩの開始期間波形の例えば最初の１２８サンプルの波形を１０２４サンプル後に付加し、合計１１５２サンプルの時間波形ＲｇとＩｇを出力する。
【０００８】
２ｋモード時なら、２０４８サンプルからなるＲとＩの開始期間波形の例えば最初の２５６サンプルの波形を２０４８サンプル後に付加し、合計２３０４サンプルの時間波形ＲｇとＩｇを出力する。この１２８もしくは２５６サンプルの期間の波形は反射波混入時の緩衝帯となる。
【０００９】
ＣＰキャリア挿入部５は、該情報シンボルの空いたキャリアの周波数帯に該情報波形を挿入しＩｓｇとＲｓｇを作成する。この信号は直交変調される。クロック発振器６からの周波数、例えば２０．４５ＭＨｚのクロック（ＣＫ）は、各部に供給される。このＲｓｇとＩｓｇは、直交変調処理部８にてアナログ信号に変換された後に直交変調され、ＵＨＦ帯もしくはマイクロ波帯を用いて伝送される。なお、昨今、直交変調はデジタル的に実施されるケースも多い。
【００１０】
伝送されたＯＦＤＭ変調波は、受信側処理部２０３のＡＧＣ部９Ａを経由し、直交復調処理部９Ｂにて復調され、ベースバンドに変換された後、ＡＤ変換されＲ’ｓｇとＩ’ｓｇ信号となる。Ｒ’ｓｇとＩ’ｓｇ信号は、同期検出＆ガード相関部４Ａに入力され、シンボル期間の切れ目に一致したフレームパルスＦＳＴ’ｒを各部に出力する。また、同期検出＆ガード相関部４Ａは、電圧制御クロック発振器１０から発生されるクロックＣＫｒｃとデータＲ’ｓｇとＩ’ｓｇに基づき、相関出力ＳｃをＦＳＴ補正部４Ｂに出力する。  そして、ＦＳＴ補正部４Ｂで制御電圧ＶＣを生成し、これにより電圧制御クロック発振器１０を制御し、正しい周期のクロックＣＫｒｃが発生され、受信側の各ブロックに供給される。予め決定されたＦＦＴポイントモード（ＧＩモード）信号は、受信側処理部２０３の同期検出＆相関部４Ａと伝送路復号化部１Ｒに入力される。
【００１１】
ＦＦＴ部３ＣはＦＳＴｒからＦＦＴとして利用抽出する有効サンプルのデータ期間を決定するゲート信号を作成し、緩衝帯であるガード期間を除外する。
【００１２】
Ｒ’ｓｇとＩ’ｓｇ信号の１０２４サンプル分は、ＦＦＴ部３Ｃにて時間波形信号から周波数成分信号Ｒ’ｆとＩ’ｆに変換される。Ｒ’ｆとＩ’ｆ信号は復号化部２Ｒにてマッピング位置を識別されて出力Ｄ’ｏになる。そして伝送路復号化部１Ｒにて連続した信号Ｄｏｕｔとして出力される。
【００１３】
以上説明した従来の構成において、伝送状態を把握する手段として、電界の強弱やＢＥＲ（Ｂｉｔ  Ｅｒｒｏｒ  Ｒａｔｅ）状態を参考にして、アンテナの方向調整を行っても、反射波の混入状況は判からず、品質の高い伝送が必ずしも実現できない欠点が生じている。
【００１４】
この反射波の存在を、受信側処理部２０３から得られる相関波形を映像信号化し、ＦＦＴ部３Ｃのゲート信号の位相を基準として映像表示する。
【００１５】
この従来の全体ブロック構成を図１２に示す。  送信側Ｔｘには送信側処理部１０１、受信側Ｔｘには、受信側処理部２０３と伝送状態映像変換部７が設けられている。受信側処理部２０３からのＡＧＣ制御信号Ｓａと相関演算信号ＳｃとＢＥＲ状態を示すＳｂ信号は、伝送状態映像変換部７に接続される。また、受信側処理部２０３の動作タイミング規準であるＦＳＴｒｃも伝送状態映像変換部７に接続される。ＦＦＴの周期を決定するＦＦＴポイントモード（ＧＩモード）信号は、送信側処理部１０１と受信側処理部２０３に入力されている。
【００１６】
受信側Ｒｘにおいて、受信側処理部２０３から得られる電界強度を表すＡＧＣ制御信号Ｓａ、相関出力ＳｃおよびＢＥＲ状態を示す信号Ｓｂは、伝送状態映像変換部７に接続される。また、受信側処理部２０３の動作タイミング基準であるパルスＦＳＴｒｃも、伝送状態映像変換部７に接続される。  後述のようにして、伝送状態映像変換部７で生成された伝送状態映像信号は、映像表示装置１１により表示される。
【００１７】
図１３の（ａ）に、伝送状態映像変換部７のブロック構成の一例を示し、以下詳細に説明する。  電界強度を表す制御信号Ｓａは、電界強度−映像変換部７−１に入力される。電界強度−映像変換部７−１の出力は、映像統合部７−４に入力される。ＢＥＲ状態を示す信号Ｓｂは、ＢＥＲ状態−映像変換部７−２に入力される。ＢＥＲ状態−映像変換部７−２の出力は、映像統合部７−４に入力される。相関出力信号ＳｃおよびフレームパルスＦＳＴｒｃは、ゴースト状態−映像変換部７−３に入力される。ゴースト状態−映像変換部７−３の出力は、映像統合部７−４に入力される。
【００１８】
映像統合部７−４からの同期信号Ｃ．ＳＹＮＣは、電界強度−映像変換部７−１、ＢＥＲ状態−映像変換部７−２、ゴースト状態−映像変換部７−３の同期入力端子に接続される。  また、映像統合部７−４からは、後述する伝送状態映像信号が出力される。
【００１９】
電界強度−映像変換部７−１、ＢＥＲ状態−映像変換部７−２、ゴースト状態−映像変換部７−３は、同期信号Ｃ．ＳＹＮＣ入力に従い、各々の状態を示す信号を、それぞれ映像信号に変換する。  映像統合部７−４では、映像化されたこれらの信号を統合し、映像用の同期信号を付加した伝送状態映像信号を生成する。
【００２０】
ここで、図１３の（ｂ）に、各伝送状態映像信号の表示画像の１例を示し説明する。  ゴースト状態映像は、折れ線グラフ状の相関出力波形映像に、時間目盛とガード期間の範囲とを対応付け、表示画面の中央下側に表示される。  ＢＥＲ状態映像は、画面の右上に中程度のサイズのドットブロックとして表示される。電界強度映像は、画面の右上に小ドットを積み重ねたブロックを数列、配置したものとして表示される。これらは、伝送状態に応じ、表示される波形、ブロック数が変化する。  なお、これらの伝送状態映像の表示の更新は、受信・復号される映像信号の更新周期に依存する。
【００２１】
【発明が解決しようとする課題】
昨今は、前述の様に多様な伝送条件に対応するため、反射波混入時の緩衝帯となるガードインターバル（ＧＩ）の長さを、伝送状況に応じて変更、切り替える動きがある。  例えば、前述の様に、１０２４サンプルからなる時間軸波形に対して、１２８サンプルのガードインターバル波形を付加し、合計１１５２サンプル／シンボルの時間軸波形を形成する信号形態と、２０４８サンプルからなる時間軸波形に対して、２５６サンプルのガードインターバル波形を付加し、合計２３０４サンプル／シンボルの時間軸波形を形成する信号形態とを、伝送する情報の内容、伝送状態等の伝送条件に応じ、より良いＧＩ長の信号形態を選択するようにする。
【００２２】
ここで、ＧＩ長を、伝送状況に応じて変更し、切り替える場合、ＧＩ長を決定するＧＩモード（ＦＦＴポイントモード）信号を、図１１に示す送信側処理部１０１の伝送路符号化部１Ｔとガード付加部３Ｂに入力し、受信側処理部２０３の同期検出＆相関部４Ａと伝送路復号化部１Ｒに入力し、ＧＩ長を切り替えている。
【００２３】
しかしながら、前述の伝送状態映像変換部７では、伝送状況に応じ、ＧＩ長を変更、切り替える伝送形態が考慮されておらず、またＧＩモード信号も入力されないため、ＧＩ長を変更した場合、ゴースト状態映像化信号波形に対応した位置関係で表示されているガード期間を示す表示範囲が対応しないものとなり、正確に伝送状態を把握できなくなる。
【００２４】
つまり、ＦＦＴポイントモード（ＧＩモード）信号を取出す信号ケーブルの増加なしには、伝送状態映像変換部７にはＦＦＴポイントモード（ＧＩモード）信号は入力されず、ガード期間を示す表示範囲が変更されないため、正しい伝送状態を把握できない。
【００２５】
また、既存のＯＦＤＭ機器用伝送状態表示機を流用する場合、正しい伝送状態映像変換処理が行えない。
【００２６】
本発明はこれらの欠点を除去し、伝送状況に応じ、ＧＩ長（ＦＦＴポイント数）を変更、切り替えた場合でも、ゴースト状態映像化信号波形に対応した位置関係でガード期間を示す表示範囲が変更され、正確に伝送状態を把握でき、高品質な伝送状態の把握を可能にすることを目的とする。
【００２７】
【課題を解決するための手段】
本発明は上記の目的を達成するため、マルチキャリア変調方式を用いたデジタル伝送システムにおいて、受信側に、受信信号から反射波の混入状態を表すゴースト状態信号、復号ビット・エラー・レート（ＢＥＲ）状態を表すＢＥＲ状態信号及び電界強度を表す電界強度状態信号の内、少なくともゴースト状態信号を生成し、当該生成した状態信号を映像化信号に変換生成する伝送状態映像変換手段と、当該映像化信号を所定の表示基準に基づいて画像表示する手段を有し、伝送状態映像変換手段は、ゴースト状態の映像化信号に対応するガード期間を表す映像化信号を所定の位置関係で統合し、かつ受信信号から検出したＦＦＴポイント数に応じてガード期間の表示範囲を変更する手段を有するものである。
【００２８】
また、生成したゴースト状態信号及び当該システムのフレーム周期を表す信号を、それぞれ検出したＦＦＴポイント数に対応した周期の信号に変換し、伝送状態映像変換手段に供給するものである。
【００２９】
即ち、伝送状態映像変換部に、フレーム周期を表す信号からＦＦＴポイント数を自動検出し、ＦＦＴポイント数に応じてＦＦＴ範囲の表示範囲を切り替え変更するものである。
【００３０】
【発明の実施の形態】
以下、ＦＦＴポイント数（ＧＩ長）を変更した場合でも、ゴースト状態映像化信号波形に対応した位置関係でガード期間を示す範囲が表示され、正確に伝送状態を把握できるようにした本発明の伝送状態映像変換部について、図１〜図１０を用いて説明する。
【００３１】
これは、ＦＦＴポイント数（ＧＩ長）の変更、切り替えに従って、ガード期間を示す表示範囲を変更する機能を伝送状態映像変換部に付加することにより、ＦＦＴポイント数（ＧＩ長）を変更した場合でも、ゴースト状態映像化信号波形に対応した位置関係でガード期間を示す範囲が表示されるようにしたものである。
【００３２】
図１は、本発明のＦＦＴポイント数を自動検出する伝送状態映像変換部７Ｃの構成の一実施例を示すものである。ここで、図１３（ａ）に示す従来の伝送状態映像変換部７に示すものと同等の構成については、説明を省略する。
【００３３】
相関出力信号Ｓｃ、フレーム周期のパルスＦＳＴｒｃはゴースト状態−映像変換部７Ｃ−３に入力される。  ＦＳＴｒｃ信号は、ＦＦＴポイント数検出部７Ｃ−５に入力される。  ＦＦＴポイント数検出部７Ｃ−５の出力であるＦＦＴポイントモード信号は、ゴースト状態−映像変換部７Ｃ−３と映像統合部７Ｃ−４に入力される。  ゴースト状態−映像変換部７Ｃ−３の出力は、映像統合部７Ｃ−４に入力される。
【００３４】
映像統合部７Ｃ−４からの同期信号Ｃ．Ｓｙｎｃは、電界強度−映像変換部７Ｃ−１、ＢＥＲ状態−映像変換部７Ｃ−２、ゴースト状態−映像変換部７Ｃ−３の同期入力端子に接続される。  映像統合部７Ｃ−４からは、伝送状態映像信号が出力される。
【００３５】
電界強度−映像変換部７Ｃ−１、ＢＥＲ状態−映像変換部７Ｃ−２、ゴースト状態−映像変換部７Ｃ−３は、同期信号Ｃ．Ｓｙｎｃに従って伝送状態を示す各信号を映像信号に変換する。  映像統合部７Ｃ−４は、映像化された各信号を統合し、映像用の同期信号を付加する。もしくは、外部入力された映像信号に重畳する。
【００３６】
ＦＦＴポイント数検出部７Ｃ−５は、ＦＦＴポイント数に対応するＦＦＴポイントモードを検出し、関連するブロックにＦＦＴポイントモード信号を送る。
【００３７】
このような構成を有する伝送状態映像変換部７Ｃは、ＦＦＴポイント数検出部７Ｃ−５にて、ＦＳＴｒｃ信号から、ＦＦＴポイント数に対応するＦＦＴポイントモード信号を自動検出する。  そして、該ＦＦＴポイントモード信号に応じて、ガード期間範囲の表示範囲・長さ、相関出力信号Ｓｃのサンプリング周期などを切り替え変更する。
【００３８】
図２の（ａ）に、ＦＦＴポイント数が１ｋ（キロ）時の表示画面例を示す。この場合、ガード期間範囲が目盛り３ヶ分の長さとなり、アラーム範囲もガード期間範囲外となる。
【００３９】
図２の（ｂ）に、ＦＦＴポイント数が２ｋ（キロ）時の表示画面例を示す。この場合、ガード期間範囲が目盛り６ヶ分の長さとなり、画面右側のガード期間範囲外であるアラーム範囲も狭くなる。
【００４０】
図３にＦＦＴポイント数検出部７Ｃ−５の具体的な構成を示す。ＦＳＴｒｃ信号は、カウンタ７Ｃ−５−１のリセット端子ＲＳＴと、ラッチ７Ｃ−５−２のイネーブル端子ＥＮに接続される。  カウンタ７Ｃ−５−１の出力端子はラッチ７Ｃ−５−２のＤ入力端子に接続される。  クロック（ＣＫ）源７Ｃ−５−４はカウンタ７Ｃ−５−１のＣＫ入力端子に接続される。  ラッチ７Ｃ−５−２の出力端子は判定器７Ｃ−５−３に入力される。
【００４１】
以下、ＦＦＴポイント数検出部７Ｃ−５の動作について説明する。  ここで、ＣＫ源７Ｃ−５−４のＣＫ周波数を２０．４ＭＨｚ、１フレームを２０４シンボルと仮定した場合、ＦＳＴｒｃ信号は１０．６ｍｓ周期で生じるため、カウンタ７Ｃ−５−１の最大値は約２３５００８となる。
【００４２】
カウンタ７Ｃ−５−１は、次のＦＳＴｒｃ信号により、一旦値０にリセットされるが、ラッチ７Ｃ−５−２はリセット寸前の値、すなわちカウンタ７Ｃ−５−１の最大値を記憶している。
【００４３】
そのため、判定器７Ｃ−５−３において、ラッチ７Ｃ−５−２の出力ＰＫの値を検出することにより、対応するＦＦＴポイント数を判定することができる。
【００４４】
なお、ＣＫ源７Ｃ−５−４の周波数精度もあり、必ずしも２３５００８が最大値とならないため、±２１６００程度の許容範囲を与えて判定させる。
【００４５】
図４の（ａ）に、カウンタ７Ｃ−５−１の最大値が２３５００８程度となるＦＦＴポイント数が１ｋ（キロ）時の各出力の関係を示す。  図４の（ｂ）に、カウンタ７Ｃ−５−１の最大値が４７００１６程度となるＦＦＴポイント数が２ｋ（キロ）時の各出力の関係を示す。
【００４６】
以上の様に、ラッチ７Ｃ−５−２の出力、すなわちカウンタ７Ｃ−５−１の最大値を判定することにより、ＦＦＴポイントモードを決定することができる。
【００４７】
図５に、ゴースト状態−映像変換部７Ｃ−３の具体的構成を示し、説明する。ＣＫ再生器７Ｃ−３−６のＣＫ信号は、カウンタ７Ｃ−３−９に入力される。  ＦＦＴポイントモード信号は、カウンタ７Ｃ−３−９に入力される。  カウンタ７Ｃ−３−９の出力ＷＥ信号は、ＦＩＦＯ７Ｃ−３−２のＷＥ端子に接続される。
【００４８】
相関出力信号Ｓｃの変化は、通常、シンボル周期に依存するため、ＦＦＴポイント数を増加（１ｋから２ｋ）すると、ゴースト状態映像化信号の変化も、２倍と長くなる。
【００４９】
カウンタ７Ｃ−３−９は、その変化に応じてＷＥ信号の発生周期を変更するために、ＦＦＴポイントモード信号に従って、サンプリング周期が変わることになる。
【００５０】
図６（ａ）に、カウンタ７Ｃ−３−９の具体的な構成を示し説明する。  ＣＫ信号は、カウンタ７Ｃ−３−９−１のＣＫ端子に接続される。  カウンタ７Ｃ−３−９−１の出力は、デコーダ７Ｃ−３−９−２に入力される。
【００５１】
デコーダ７Ｃ−３−９−２の出力はカウンタ７Ｃ−３−９−１のリセット端子に入力され、かつ、ＷＥ信号として出力される。  ＦＦＴポイントモード信号はデコーダ７Ｃ−３−９−２のデコード値切替端子に接続される。
【００５２】
以下各部の動作について説明する。  カウンタ７Ｃ−３−９−１は、リセットＲＳＴ端子がＨレベルなら、ＣＫ入力に応じてカウント動作を行う。
【００５３】
デコーダ７Ｃ−３−９−２は、ＦＦＴポイントモード信号に従い、例えば、１１５２、もしくは２３０４サンプル／シンボルが入力されると、レベルＬを出力する。
【００５４】
そして、リセット端子がレベルＬになると、カウンタ７Ｃ−３−９−１は値を０に戻す。その結果、カウンタ７Ｃ−３−９−１は、０〜１１５２もしくは０〜２３０４のカウントを繰り返す。
【００５５】
図６の（ｂ）に、ＦＦＴポイント数が１ｋ（キロ）時のカウンタ７Ｃ−３−９の出力ＷＥを示す。図の様に、５２μｓ周期でレベルＬとなるＷＥ信号が得られる。図６の（ｃ）に、ＦＦＴポイント数が２ｋ（キロ）時のカウンタ７Ｃ−３−９の出力ＷＥを示す。図の様に、１０４μｓ周期でレベルＬとなるＷＥ信号が得られる。
【００５６】
図７に、映像統合部７Ｃ−４の具体的構成を示し説明する。  電界強度映像化信号、ＢＥＲ状態映像化信号、ゴースト状態映像化信号は、各々ゲート７Ｃ−４−１、７Ｃ−４−２、７Ｃ−４−３を経由して、加算器７Ｃ−４−６へ入力される。表示選択器７Ｃ−４−４は、電界強度映像化信号、ＢＥＲ状態映像化信号、ゴースト状態映像化信号の加算を個別にＯＮ／ＯＦＦするための信号を出力する。
【００５７】
ＦＦＴポイントモード信号は、外部映像同期型同期信号発生器７Ｃ−４−５に入力される。映像信号は、外部映像同期型同期信号発生器７Ｃ−４−５および加算器７Ｃ−４−６に入力される。外部映像同期型同期信号発生器７ｃ−４−５は、同期信号Ｃ．Ｓｙｎｃを外部に出力する。また、時間目盛やガード期間範囲を示す表示信号を加算器７Ｃ−４−６に出力する。
【００５８】
ゲート７Ｃ−４−１，７Ｃ−４−２，７Ｃ−４−３は、表示選択器７Ｃ−４−４に従って、各映像化信号をＯＮ／ＯＦＦする。  ゲート７Ｃ−４−１，７Ｃ−４−２，７Ｃ−４−３を経由した各信号は、加算器７Ｃ−４−６で、Ｃ．Ｓｙｎｃ信号とともに、各々加算され、伝送状態映像化信号となる。
【００５９】
加算器７Ｃ−４−６における加算比率の例を以下に示す。  例えば、入力される信号が、全てデジタルレベルの＋５Ｖであれば、電界強度映像化信号、ＢＥＲ状態映像化信号、ゴースト状態映像化信号は、各々、０．２の比率で、時間目盛信号とガード期間範囲信号は、０．０５の比率で、Ｃ．Ｓｙｎｃ信号は、０．１の比率で加算される。  これによって、同期部分を含め、約１Ｖｐ−ｐ程度の映像化信号が作成される。
【００６０】
図８に外部映像同期型同期信号発生器７Ｃ−４−５の具体的構成を示し、以下に説明する。  同期抽出器７Ｃ−４−５−１は、入力された映像信号から抽出同期信号を取り出す。  この抽出同期信号はカウンタ７Ｃ−４−５−２に入力される。  カウンタ７Ｃ−４−５−２は、垂直同期信号に応じてリセットされる。  カウンタ７Ｃ−４−５−２の出力は、デコーダ７Ｃ−４−５−３，７Ｃ−４−５−４，７Ｃ−４−５−５に接続される。
【００６１】
そして、例えばガード期間３μｓ範囲を示すデコーダ７Ｃ−４−５−３の出力、６μｓ範囲を示すデコーダ７Ｃ−４−５−４の出力、１２μｓ範囲を示すデコーダ７Ｃ−４−５の出力は、選択器（ＳＥＬ）７Ｃ−４−５−６に接続され、ＦＦＴポイントモード信号に従って、これらの何れかが選択され、各種範囲出力となる。
【００６２】
図９の（ａ）に、ＦＦＴポイント数が１ｋ（キロ）時のガード期間範囲信号を示す。  この例では、表示画面下よりの走査線２２０本から２３０本、かつ、横方向４００画素から５８０画素のみを範囲とし帯状の信号を発生する。  図９の（ｂ）に、ＦＦＴポイント数が２ｋ（キロ）時のガード期間範囲信号を示す。この例では、表示画面下よりの走査線２２０本から２３０本、かつ、横方向４００画素から７６０画素のみを範囲とし帯状の信号を発生する。
【００６３】
なお、本実施例ではＦＦＴポイント数を自動検出し、各部へのモードを切り替えたが、手動でＦＦＴポイントモード信号を切替る方法でも良い。
【００６４】
図１０は、既存の伝送状態映像変換部を流用することのできる、反射波の状態を示す相関信号Ｓｃと受信側フレーム制御パルスを時間軸変換する処理を含む、本発明の受信側処理部２０３ｄの構成の一実施例を示すものである。
【００６５】
受信側処理部２０３からの相関出力ＳｃとフレームパルスＦＳＴｒｃは、時間軸変換部３０を経由して、伝送状態変換部７に入力される。ＡＧＣ制御信号Ｓａ、ＢＥＲ信号Ｓｂは、受信側処理部２０３から直接、伝送状態映像変換部７に入力される。  時間軸変換部３０には、ＦＦＴポイントモード信号も入力される。
【００６６】
時間軸変換部３０の動作は、ＦＦＴポイントモード信号に応じて、Ｓｃ信号とＦＳＴｒｃ信号の周期を時間変換することであり、これにより、既存の伝送状態映像変換部７でも、ゴースト状態映像化信号波形に対応した位置関係でガード期間を示す表示範囲が変更されたものとなり、正確に伝送状態を把握することができるようになる。
【００６７】
【発明の効果】
以上説明したように本発明によれば、ＯＦＤＭモードに応じた対応容易な反射波の範囲を時間軸を横方向に映像信号化する機能を持つデジタル伝送装置を実現でき、より正確なアンテナ方向調整作業を容易に実施できる。また、映像信号化したことで、表示する装置も一般的なビデオモニタを使用できるため、状況に応じて最適なサイズの表示が可能となる。
【図面の簡単な説明】
【図１】本発明の伝送状態映像変換部７Ｃの一例のブロック図
【図２】本発明の各伝送状態映像信号の表示画像の一例を示す模式図
【図３】本発明のＦＦＴポイント数検出部７Ｃ−５の一例を示すブロック図
【図４】本発明のＦＦＴポイントモード検出動作を説明するための図
【図５】本発明のゴースト状態−映像変換部７Ｃ−３の一例を示すブロック図
【図６】本発明のカウンタ７Ｃ−３−９のブロック図とその動作を説明するための図
【図７】本発明の映像統合部７Ｃ−４の一例を示すブロック図
【図８】本発明の外部映像同期型同期信号発生器７Ｃ−４−５の一例を示すブロック図
【図９】本発明のガード期間範囲表示の状態を説明する模式図
【図１０】本発明の受信側処理部２０３ｄの構成の一実施例を示すブロック図
【図１１】一般的な伝送システムの全体構成を示すブロック図
【図１２】従来の伝送状態映像変換部７を含む伝送システムの構成を示すブロック図
【図１３】従来の伝送状態映像変換部の構成を示すブロック図と表示画像を示す模式図
【符号の説明】
１０１：送信側処理部、２０３：受信側処理部、１Ｒ：伝送路復号化部、４Ａ：同期検出＆相関部、４Ｂ：ＦＳＴ補正部、９Ａ：ＡＧＣ部、９Ｂ：直交復調処理部、７，７Ｃ：伝送状態映像変換部、７Ｃ−１：電界強度−映像変換部、７Ｃ−２：ＢＥＲ状態−映像変換部、７Ｃ−３：ゴースト状態−映像変換部、７Ｃ−４：映像統合部、７Ｃ−５：ＦＦＴポイント数検出部、１１：映像表示装置、３０：時間軸変換部、Ｓａ：ＡＧＣ制御信号、Ｓｃ：相関出力信号、Ｓｂ：ＢＥＲ状態信号。
【図１】
2004289457.tif 000003
【図２】
2004289457.tif 000004
【図３】
2004289457.tif 000005
【図４】
2004289457.tif 000006
【図５】
2004289457.tif 000007
【図６】
2004289457.tif 000008
【図７】
2004289457.tif 000009
【図８】
2004289457.tif 000010
【図９】
2004289457.tif 000011
【図１０】
2004289457.tif 000012
【図１１】
2004289457.tif 000013
【図１２】
2004289457.tif 000014
【図１３】
2004289457.tif 000015